(57)【要約】【課題】安定して精度の高い測定前較正を実行し、被測定光源体の特性の精度の高い測定をすることが可能な測光装置を提供することを目的とする。【解決手段】  本発明の測光装置は、積分球と、当該積分球に設けられ、基準較正用光源体が取り付けられる基準較正用光源体保持部と、当該積分球に設けられ、被測定光源体が取り付けられる被測定光源体保持部と、当該積分球に設けられ、当該基準較正用光源体及び当該被測定光源体からの光を検出する光検出部と、当該基準較正用光源体及び当該被測定光源体の点灯を制御する制御部と、を有し当該基準較正用光源体及び当該被測定光源体の何れか一方のみが選択的に当該積分球内にて発光可能なように構成されていることを特徴とする。
2013186913.tif 000002
【特許請求の範囲】
【請求項１】
積分球と、
前記積分球に設けられ、基準較正用光源体が取り付けられる基準較正用光源体保持部と、
前記積分球に設けられ、被測定光源体が取り付けられる被測定光源体保持部と、
前記積分球に設けられ、前記基準較正用光源体及び前記被測定光源体からの光を検出する光検出部と、
前記基準較正用光源体及び前記被測定光源体の点灯を制御する制御部と、を有し
前記基準較正用光源体及び前記被測定光源体の何れか一方のみが選択的に前記積分球内において発光可能なように構成されていることを特徴とする測光装置。
【請求項２】
前記基準較正用光源体保持部と前記被測定光源体保持部とは前記光検出部の受光面の中心を通る前記積分球の中心線に関して線対称に配置されていることを特徴とする請求項１に記載の測光装置。
【請求項３】
前記基準較正用光源体保持部と前記受光部との間にある第１の遮光部と、前記被測定光源体保持部と前記受光部との間にある第２の遮光部とをさらに含み、
前記第１の遮光部及び前記第２の遮光部の各々が、収納及び展開可能であることを特徴とする請求項１または２に記載の測光装置。
【請求項４】
前記基準較正用光源体保持部及び被測定光源体保持部を担持し、前記積分球の壁部に設けられている移動台と、前記基準較正用光源体及び前記被測定用光源体の一方のみを単一の共通点灯位置に位置決めするように前記移動台を移動せしめる位置決め機構と、をさらに含むことを特徴とする請求項１に記載の測光装置。
【請求項５】
前記移動台は、一方の面に前記基準較正用光源体保持部を担持し、それと反対側の他方の面に前記被測定光源体保持部を担持しておりかつ回転自在であり、前記位置決め機構は前記移動台の角度位置を定めることを特徴とする請求項４に記載の測光装置。
【発明の詳細な説明】
【技術分野】
【０００１】
本発明は、測光装置に関し、特に光源体の特性を測定する測光装置に関する。
【背景技術】
【０００２】
近年、ＬＥＤ素子または有機ＥＬ素子等の発光装置の規格化が進められている。このような各種発光装置の照度、スペクトル等の特性を測定し、規格に準拠しているか否かを判定するために、例えば内壁面を高い光拡散率を有する材料で覆っている形態の積分球を用いた測光装置が用いられる。【０００３】
特許文献１及び特許文献２は、各々、積分球を用いた測光装置を標準光源体によって較正し、その後標準光源体と被測定光源体を交換して光束等の測定を行う測光装置を開示している。
【先行技術文献】
【特許文献】
【０００４】
【特許文献１】特開平５−３１２６３９
【特許文献２】特開平８−３２０２５３
【発明の概要】
【発明が解決しようとする課題】
【０００５】
特許文献１または特許文献２に開示されているような積分球を用いた測光装置においては、較正用の標準光源体を積分球内に入れ、その後被測定光源体と交換するために取り出す作業を較正処理の度にすることが必要である。このような出し入れの繰り返しは、標準光源体の汚損や劣化または取り付け誤差等による較正の誤差を生ずる。例えば、標準光源体として電球タイプのものを使用する場合、電球の発光表面に汚損（特に手作業で交換を行う場合はフィンガプリント等）が生じて、較正処理毎に標準光源体の発光が変化してしまう可能性がある。また、光ファイバタイプの標準光源体を用いる場合には、光ファイバの接続端面の汚損や光ファイバの取り付け不良等が生じて、較正処理毎に標準光源体からの発光の特性が変化してしまう可能性がある。そのため、測光装置の安定した精度の高い較正を行うことが困難であった。【０００６】
本発明は、上述した点に鑑みてなされたものであり、安定して精度の高い測定前較正を実行し、被測定光源体の特性の精度の高い測定をすることが可能な測光装置を提供することを課題の１つとする。
【課題を解決するための手段】
【０００７】
本発明の測光装置は、積分球と、当該積分球に設けられ、基準較正用光源体が取り付けられる基準較正用光源体保持部と、当該積分球に設けられ、被測定光源体が取り付けられる被測定光源体保持部と、当該積分球に設けられ、当該基準較正用光源体及び当該被測定光源体からの光を検出する光検出部と、当該基準較正用光源体及び当該被測定光源体の点灯を制御する制御部と、を有し当該基準較正用光源体及び当該被測定光源体の何れか一方のみが選択的に当該積分球内にて発光可能なように構成されていることを特徴とする。
【発明の効果】
【０００８】
本発明の測光装置によれば、測定時に基準較正用の標準光源体の脱着作業が必要ないので、非常に精度の高い較正を行うことが可能になり、実際に特性が測定される被測定光源体の特性を高い精度で測定することが可能である。
【図面の簡単な説明】
【０００９】
【図１】実施例１である測光装置の断面図である。
【図２】図１の測光装置の測定実行ルーチンの一例を示すフローチャートである。
【図３】実施例２である測光装置の断面図である。
【図４】変形例である測光装置の断面図である。
【図５】図３及び図４の測光装置の測定実行ルーチンの一例を示すフローチャートである。
【図６】実施例３である測光装置の断面図である。
【図７】変形例である測光装置の断面図である。
【図８】変形例である測光装置の断面図である。
【図９】図６、７及び８の測光装置の測定実行ルーチンの一例を示すフローチャートである。
【発明を実施するための形態】
【００１０】
（実施例１）
図１を参照しつつ本発明の実施例１である測光装置１０について説明する。積分球１１は、内壁面が高い光拡散率を有する膜によって被覆されている中空の球体である。積分球１１の壁部の適所には、積分球１１の内壁面によって散乱させられた光を検出し、当該光の特性（光束、スペクトル等）を示す特性信号を出力する光検出器１３が設けられている。光検出器１３は、積分球１１の内方に向いた面に受光面１３ａを有している。光検出器１３内には、図示しないが、光スペクトラム等を分析する分光器、種々の測定結果の計算をするソフトウェアを含むＲＯＭ、及び当該ソフトウェアを実行するためのＣＰＵが含まれており、分光放射強度スペクトル、分光放射強度、全光束、相関色温度、色度座標、色度図、演算評価数等の様々な測定結果が得られるようにシステムが構成されている。また、以下に説明する制御部２１をコントロールする機能が上記システムに含まれていてもよい。
【００１１】
積分球１１の内壁には、基準較正用光源体である標準光源体１５ａが取り付けられる標準光源体保持部１５及び実際に測定される被測定光源体１７ａが取り付けられる被測定光源体保持部１７が設けられている。標準光源体保持部１５及び被測定光源体保持部１７は、例えば、電球を取り付けるソケットまたは光ファイバ装置を取り付けるプラグ孔等であってもよい。標準光源体保持部１５と被測定光源体保持部１７とは、光検出器１３の受光面１３ａすなわち受光面１３ａの受光感度分布の中心を通る積分球の中心線Ｘに関して線対称になるように配置されている。従って、標準光源体１５ａ及び被測定光源体１７ａから発せられた光は、光検出器１３によって同一の条件で検出することが可能である。
【００１２】
光検出器１３と標準光源体保持部１５及び被測定光源体保持部１７の各々との間には、遮光板（すなわちバッフル）１９ａ及び１９ｂがそれぞれ設けられている。この遮光板１９ａ及び１９ｂは、中心線Ｘに対して線対称になるようにそれぞれ配置されている。この遮光板１９ａ及び１９ｂは、標準光源体保持部１５及び被測定光源体保持部１７に取り付けられた光源体からの直接光が光検出器１３に当たらないように遮光する役割を果たしている。
【００１３】
制御部２１は、標準光源体保持部１５及び被測定光源体保持部１７に接続されている。制御部２１は、さらに、光検出器１３に接続されており、光検出器１３から出力された光の特性を示す特性信号を受信する。当該特性は、例えば、総光束またはスペクトル分布等の任意の特性である。制御部２１は、標準光源体１５ａ及び被測定光源体１７ａの発光を制御し、光検出器１３から特性信号を受信して演算するＣＰＵ２１ａ、測定を自動実行するルーチンが保存されているＲＯＭ２１ｂ及び較正値及び較正済測定値等を保存するＲＡＭ２１ｃを有している。ＣＰＵ２１ａは、手動入力に応じまたは自動的に装置較正時には標準光源体保持部１５に電力を供給して標準光源体１５ａを点灯させ、被測定光源体１７ａの特性の測定時には、被測定光源体保持部１７に電力を供給して被測定光源体１７ａを点灯させる。
【００１４】
ＣＰＵ２１ａは、標準光源体１５ａを点灯させた際に光検出器１３から出力された信号に基づいて較正値を生成する。当該生成された較正値はＲＡＭ２１ｃ保存され、被測定光源体１７ａを点灯させた際に光検出器から出力された信号よって得られた測定値に算入され、被測定光源体１７ａの正確な特性を示す較正済測定値が生成されＲＡＭ２１ｃに保存される。
【００１５】
制御部２１には、マニュアル入力手段２３が接続されている。マニュアル入力手段２３は、例えば、キーボード、タッチパネル等である。マニュアル入力手段２３への入力操作によって、光源体保持部１５、１７への電力の供給、並びに較正値の生成及び較正済み測定値の生成およびＲＡＭ２１ｃへの保存が行われてもよい。
【００１６】
なお、光検出器１３内に分光器等の測定機器のみを配置し、種々の測定結果の演算を行うソフトウェアを制御部２１のＲＯＭ２１ｂ内に保存しておき、種々の測定結果の演算を、光検出器１３内の測定機器からの出力に基づいてＣＰＵ２１ａによって行うこととしてもよい。
【００１７】
蓋体２５は、光検出器１３が配されている位置と対向する位置の積分球１１の壁部の一部よりなり得るように形成されている。蓋体２５は、測定時には積分球１１に取り付けられて積分球１１の壁部の一部となり、標準光源体１５ａまたは被測定光源体１７ａを交換する際に取り外されて、積分球１１内部へのアクセスを可能とする作業用孔部２７が提供される。積分球１１に取り付けられている際に積分球１１の内壁面となる蓋体２５の表面も（積分球内面側）、積分球１１の内壁面と同様に高い光拡散率を有する膜によって被覆されている。
【００１８】
以下に、測光装置１０を用いて行う被測定光源体１７ａの特性測定の方法について説明する。まず、標準光源体１５ａ及び被測定光源体１７ａをそれぞれ標準光源体保持部１５及び被測定光源体保持部１７に取り付ける光源体取り付けステップを行う。
【００１９】
次に、光源制御部によって標準光源体１５ａを点灯させて装置の較正をする較正ステップを行う。この際に、光検出器１３において標準光源体１５ａからの光を検出して生成された特性信号に基づいて、較正値が生成されてＲＡＭ２１ｃに保存される。
【００２０】
次に、光制御部によって標準光源体１５ａを消灯し被測定光源体１７ａを点灯させ、被測定光源体１７ａの特性を測定する特性測定ステップを行う。具体的には、光検出器１３において被測定光源体１７ａからの光を検出して生成された特性信号に基づいて特性測定値が生成され、当該特性測定値に較正ステップにおいて生成された較正値が算入されて較正済測定値が導出され、ＲＡＭ２１ｃに保存される。
【００２１】
その後、被測定光源体１７ａのみを被測定光源体保持部１７から取り外し、次に測定を行うべき被測定光源体１７ａを被測定光源体保持部１７に取り付ける。その後に、上述と同様に必要に応じて（例えば、１００回の被測定光源体の測定毎に１回、測定値に異変があった際、または一日もしくは半日に１回等）較正ステップを行い、その後特性測定ステップを行う。
【００２２】
なお、光源体保持部１５及び１７への電力の供給、並びに較正値及び較正済測定値の生成及び保存は、その都度マニュアル入力手段２３によって制御部２１に命令することで行ってもよいし、ＣＰＵ２１によって互いに連動するように全て自動で行われてもよい。
【００２３】
また、標準光源体保持部１５及び被測定光源体保持部１７が積分球１１から取り外し可能になっており、これらを取り外すことで標準光源体１５ａまたは被測定光源体１７ａが交換可能であってもよい。
【００２４】
このように、測光装置１０によれば、標準光源体保持部１５及び被測定光源体保持部１７が別個にかつ光検出器１３に対して対称に配されているので、較正用の標準光源体１５ａを特性測定の度に脱着する必要が解消される。従って、標準光源体１５ａの脱着作業によって発生する標準光源体の発光面の汚損または取付不良等による標準光源体１５ａから発せられる光の特性の変化を低減し、測光装置の較正を高い精度で行うことが可能である。
【００２５】
なお、ＣＰＵ２１ａによって自動で手順を実行する場合、例えば、ＲＯＭ２１ｂに保存されている、図２に示すような測定実行ルーチンによって処理が行われる。本実施例では、測定回数を判定するためにルーチンの実行回数を示す実行カウンタαを用いる。
【００２６】
まず、ステップＳ１において、初めての測定かまたは前回の較正値取得から一定回数繰り返した後の（例えば、１０１回目の）測定であるかが判定される。初めての測定かまたは前回の較正値取得から１０１回目の測定である場合、処理はステップＳ２に進み、標準光源体１５ａが点灯される。
【００２７】
初めての測定でも無く、前回の較正値取得から１００回目以内の測定である場合、処理はステップＳ４に進み、被測定光源体１７ａが点灯される。
【００２８】
ステップＳ２が終了すると処理はステップＳ３に進み、光検出器１３からの特性信号が受信されて、較正値が生成されて、当該較正値がＲＡＭ２１ｃに保存(上書き)される。
【００２９】
ステップＳ３が終了すると処理はステップＳ４に進み、被測定光源体１７ａが点灯される。ステップＳ４が終了すると処理はステップＳ５に進み、光検出器１３からの特性信号が受信されて、特性測定値が生成される。
【００３０】
ステップＳ５が終了すると処理はステップＳ６に進み、当該特性測定値に、ＲＡＭ２１ｃに保存されている較正値が算入されて、較正済測定値が導出され、当該較正済測定値がＲＡＭ２１ｃに保存される。
【００３１】
ステップＳ６が終了すると処理はＳ７に進み、被測定光源体１７ａが交換されたかが判定される。被測定光源体１７ａが交換されたか否かは、例えば被測定光源体保持部１７に備えられたセンサ（図示せず）等からの信号を受信することによって、または交換を行う作業員が交換確認スイッチを押すこと等によって判定される。被測定光源体１７ａが交換されたと判断された場合、処理はステップＳ８に進み、カウンタαがインクリメントされて測定実行ルーチンが終了する。
【００３２】
被測定光源体１７ａが未だ交換されていないと判定された場合、ステップはＳ９に進み、一定時間（例えば、１０秒）待機後に再度ステップＳ７が行われる。再度のステップＳ７において被測定光源体１７ａが交換されたと判定された場合、処理はステップＳ８に進み、カウンタαがインクリメントされて測定実行ルーチンが終了する。なお、ステップＳ９において、作業員に対して被測定光源体を交換することを促すブザー、音声案内、ランプ、画像表示等の告知を行うこととしてもよい。
【００３３】
（実施例２）
以下に、図３を参照して本発明の実施例２である測光装置３０について説明する。測光装置３０は、遮光板が可動である以外は実施例１である測光装置１０と同様の構成を有している。なお、図３においては、被測定光源体１７ａを点灯させて較正ステップを行っている際の測光装置３０を示している。
【００３４】
測光装置３０においては、内壁に沿って収納可能な遮光板３１ａ及び３１ｂが設けられている。遮光板３１ａ及び３１ｂは、それぞれ、光検出器１３を通る積分球の中心線Ｘに対して線対称になるように配置されているヒンジ駆動部３３ａ及び３３ｂによって積分球１１の内壁と結合されている。ヒンジ部駆動部３３ａ及び３３ｂは、ヒンジ部駆動部３３ａまたは３３ｂを中心にして遮光板３１ａ及び３１ｂをそれぞれ（概略９０度）回転させて、各々を展開または収納する例えば電動式のアクチュエータを有する。ヒンジ駆動部３３ａ及び３３ｂは、制御部２１と接続されており、制御部２１からの駆動信号によって遮光板３１ａ及び３１ｂを展開または収納するべく駆動する。遮光板３１ａ及び３１ｂは、展開時には、それぞれ光検出器１３と標準光源体保持部１５及び被測定光源体保持部１７の各々との間にあり、標準光源体保持部１５及び被測定光源体保持部１７に取り付けられた光源体からの直接光が光検出器１３に当たらないように遮光する。遮光板３１ａ及び３１ｂは、図３に示しているように、積分球１１の内壁面の曲率と同一の曲率である曲面を有するように形成されており、収納時において積分球１１の内壁に沿って配されて内壁面の一部を構成するようになされているのが好ましい。また、遮光板３１ａ及び３１ｂの収納された際に露出している内側面には、積分球内壁面と同様の光拡散材料が塗布されているのが好ましい。遮光板３１ａ、３１ｂの先端部分は回折の影響を防ぐために角が取れていることが好ましい。
【００３５】
なお、遮光板３１ａ及び３１ｂの展開または収納は、その都度マニュアル入力手段２３によって制御部２１に命令することで行ってもよいし、光源体保持部１５及び１７への電力の供給、並びに較正値及び較正済測定値の生成及び保存と互いに連動するように、制御部２１内のＣＰＵ２１ａによって全て自動で手順を実行することとしてもよい。
【００３６】
測光装置３０を用いて測定を行う場合、較正ステップにおいては、遮光板３１ａを展開し遮光板３１ｂを収納し、特性測定ステップにおいては遮光板３１ｂを展開し遮光板３１ａを収納する。このように、光源特性特定装置３０によれば、必要の無い遮光壁を収納することによって、遮光壁による誤差をなくし較正精度及び特性測定精度を向上させることが可能である。
【００３７】
なお、図４に示すように、遮光板３１ａ及び３１ｂを駆動部３５によって積分球の内壁面と垂直にスライドさせて、積分球外に収納することとしてもよい。この場合、遮光板３１ａ及び３１ｂの収納時の積分球１１の内壁面の変化がさらに低減され、更に正確な測定を行うことが可能となる。この場合は遮光板３１ａ、３１ｂの内壁面側端面に内壁面と同一の高い光拡散率を有する膜によって被覆することが好ましい。
【００３８】
ＣＰＵ２１ａによって自動で手順を実行する場合、例えば、ＲＯＭ２１ｂに保存されている、図５に示すような測定実行ルーチンによって処理が行われる。本実施例では、測定回数を判定するためにルーチンの実行回数を示す実行カウンタαを用いる。
【００３９】
まず、ステップＳ１において、初めての測定かまたは前回の較正値取得から一定回数繰り返した後の（例えば、１０１回目の）測定であるかが判定される。初めての測定かまたは前回の較正値取得から１０１回目の測定である場合、処理はステップＳ２に進み、遮光壁３１ａが展開され、標準光源体１５ａが点灯される。
【００４０】
初めての測定でも無く、前回の較正値取得から１００回目以内の測定である場合、処理はステップＳ４に進み、遮光壁３１ｂが展開され被測定光源体１７ａが点灯される。
【００４１】
ステップＳ２が終了すると処理はステップＳ３に進み、光検出器１３からの特性信号が受信され、較正値が生成され、当該較正値がＲＡＭ２１ｃに保存(上書き)されて、遮光壁３１ａが収納される。
【００４２】
ステップＳ３が終了すると処理はステップＳ４に進む。ステップＳ４が終了すると処理はステップＳ５に進み、光検出器１３からの特性信号が受信されて、特性測定値が生成され、遮光壁３１ｂが収納される。遮光壁３１ｂは、被測定光源体１７ａの交換のたびに収納展開するものとしてもよいが、標準光源体１５ａの点灯時のときだけ収納し、多数の被測定光源体を連続して測定する場合にはその間常に展開させておくこととしてもよい。また、遮光壁３１ａ及び３１ｂは、一方の収納時に他方を展開することとしてもよいが、光源体の交換等の積分球１１内部における作業時に遮光壁３１ａ及び３１ｂの両方を収納して、積分球１１内部における作業を容易にしてもよい。
【００４３】
ステップＳ５が終了すると処理はステップＳ６に進み、当該特性測定値に、ＲＡＭ２１ｃに保存されている較正値が算入されて、較正済測定値が導出され、当該較正済測定値がＲＡＭ２１ｃに保存される。
【００４４】
ステップＳ６が終了すると処理はＳ７に進み、被測定光源体１７ａが交換されたかが判定される。被測定光源体１７ａが交換されたか否かは、例えば被測定光源体保持部１７に備えられたセンサ（図示せず）等からの信号を受信することによって、または交換を行う作業員が交換確認スイッチを押すこと等によって判定される。被測定光源体１７ａが交換されたと判断された場合、処理はステップＳ８に進み、カウンタαがインクリメントされて測定実行ルーチンが終了する。
【００４５】
被測定光源体１７ａが未だ交換されていないと判定された場合、ステップはＳ９に進み、一定時間（例えば、１０秒）待機後に再度ステップＳ７が行われる。再度のステップＳ７において被測定光源体１７ａが交換されたと判定された場合、処理はステップＳ８に進み、カウンタαがインクリメントされて測定実行ルーチンが終了する。なお、ステップＳ９において、作業員に対して被測定光源体を交換することを促すブザー、音声案内、ランプ、画像表示等の告知を行うこととしてもよい。
【００４６】
（実施例３）
以下に、図６を参照して本発明の実施例３である測光装置４０について説明する。実施例３の測光装置４０は、実施例１の測光装置１０と同様の積分球１１、光検出器１３及び制御部２１及びマニュアル入力手段２３を有している。
【００４７】
測光装置４０においては、積分球１１の周壁の一部に移動台（回転移動台）４１が設けられている。移動台４１は、一方の面に標準光源体保持部４３を有し、それと反対側の他方の面に被測定光源体保持部４５を有している。移動台４１は、例えば電動式の駆動部４７とギア、チェーンまたは駆動軸等（図示せず）を介して接続されており、駆動部４７の動作によって回転移動可能な構成になっている。駆動部４７は、制御部２１に接続されており、制御部２１から制御信号によって、例えば移動台４１を通り紙面に平行な回転軸ａｘ周りに移動台４１を回転させるように駆動し、回転軸ａｘ周りの移動台の角度位置を定める。例えば、駆動部４７は、マニュアル制御手段２３における入力または自動で、較正ステップにおいて、標準光源体４３ａが積分球内の点灯位置５１に配置され、特性測定ステップにおいて、被測定光源体４５ａが積分球内の点灯位置５１に配置されるように移動台４１を回転させるように駆動させられる。すなわち、駆動部４７は移動台４１を移動させて標準光源４３ａ及び被測定光源４５ａのいずれかを点灯位置５１に位置決めする位置決め機構を構成している。また、標準光源体４３ａ及び被測定光源体４５ａの点灯は、上記実施例と同様に制御部２１によって制御され、標準光源体４３ａ及び被測定光源体４５ａが点灯位置５１にある際に点灯するようになされる。なお、測光装置４０においては、遮光板４９は、光検出器１３と点灯位置５１との間に１つだけ設けられている。
【００４８】
測光装置４０によれば、較正ステップにおける標準光源体４３ａの位置と特性測定ステップにおける被測定光源体４５ａの位置が同一であるので、標準光源体４３ａと被測定光源体４５ａとの位置の相違に起因する測定誤差を解消することが可能である。また、積分球内に複数の遮光板を形成する必要が無いので、更に精度の高い測定を行うことが可能である。また、移動台４１の回転によって光源体保持部４３、４５が積分球１１の外側に露出するので、光源体の取り替えを容易に行うことが可能である。
【００４９】
なお、図７に示すように、非発光時に積分球１１外に配されている光源体の汚損を防止するために、積分球１１の外側から移動台４１を覆うように、取り外し可能なカバー５３を設けてもよい。これによって、光源体の汚損による測定誤差を低減させることが可能である。
【００５０】
大量の被測定光源体４５ａを連続的に測定する場合、すなわち量産時の動作として、被測定光源測定時には、貴重な標準光源体４３ａを埃等から守るために、この取り外し可能なカバー５３が自動的に閉じることが好ましい。さらに、移動台４１の回転によって被測定光源体保持部４５を積分球１１の外側に露出させて被測定光源体を交換するときは、この取り外し可能なカバー５３が自動的に開くことが好ましい。この動作は、例えば、積分球１１とカバー５３とを接続するヒンジ駆動部５５によってなされてもよい。
【００５１】
また、図８に示すように、移動台４１が積分球１１の内壁に沿ってスライド可能に形成されていてもよい。この場合、移動台４１は、駆動部４７によって円周方向（図中矢印方向）に、例えば積分球内壁に形成されたレール(図示せず)に沿ってスライド移動可能な構成になっている。駆動部４７は、制御部２１によって制御され、較正ステップにおいて、標準光源体４３ａが積分球内の点灯位置５１に配置され、特性測定ステップにおいて、被測定光源体保持部４５が積分球内の点灯位置に配置されるように移動台４１をスライドさせるように駆動させられる。なお、この場合、移動台４１は、光源体の交換のために任意の態様で取り外し可能である。例えば、積分球１１の壁部の一部となり得る蓋体５７を取り外し、作業孔５９まで移動台４１をスライドさせて、作業孔５９から移動台４１を取り出すこととしてもよい。
【００５２】
なお、測光装置４０において、ＣＰＵ２１ａによって自動で手順を実行する場合、例えば、図９に示すような測定実行ルーチンによって処理が行われる。本実施例では、測定回数を判定するためにルーチンの実行回数を示す実行カウンタαを用いる。
【００５３】
まず、ステップＳ１において、初めての測定かまたは前回の較正値取得から一定回数繰り返した後の（例えば、１０１回目の）測定であるかが判定される。初めての測定かまたは前回の較正値取得から１０１回目の測定である場合、処理はステップＳ２に進み、標準光源体４３ａが点灯位置に移動させられ、標準光源体４３ａが点灯される。
【００５４】
初めての測定でも無く、前回の較正値取得から１００回目以内の測定である場合、処理はステップＳ４に進み、点灯位置に被測定光源体４５ａが移動させられ、被測定光源体４５ａが点灯される。
【００５５】
ステップＳ２が終了すると処理はステップＳ３に進み、光検出器１３からの特性信号が受信されて、較正値が生成されて、当該較正値がＲＡＭ２１ｃに保存(上書き)される。
【００５６】
ステップＳ３が終了すると処理はステップＳ４に進み、点灯位置に被測定光源体４５ａが移動させられ、被測定光源体４５ａが点灯される。ステップＳ４が終了すると処理はステップＳ５に進み、光検出器１３からの特性信号が受信されて、特性測定値が生成される。
【００５７】
ステップＳ５が終了すると処理はステップＳ６に進み、当該特性測定値に、ＲＡＭ２１ｃに保存されている較正値が算入されて、較正済測定値が導出され、当該較正済測定値がＲＡＭ２１ｃに保存される。
【００５８】
ステップＳ６が終了すると処理はＳ７に進み、被測定光源体４５ａが交換されたかが判定される。被測定光源体４５ａが交換されたか否かは、例えば被測定光源体保持部４５に備えられたセンサ（図示せず）等からの信号を受信することによって、または交換を行う作業員が交換確認スイッチを押すこと等によって判定される。被測定光源体４５ａが交換されたと判断された場合、処理はステップＳ８に進み、カウンタαがインクリメントされて測定実行ルーチンが終了する。
【００５９】
被測定光源体４５ａが未だ交換されていないと判定された場合、ステップはＳ９に進み、一定時間（例えば、１０秒）待機後に再度ステップＳ７が行われる。再度のステップＳ７において被測定光源体４５ａが交換されたと判定された場合、処理はステップＳ８に進み、カウンタαがインクリメントされて測定実行ルーチンが終了する。
【００６０】
なお、ステップＳ７において、カバー５３が自動的に開かれ、被測定光源４５ａが交換されたとの判定によってカバー５３が自動的に閉じられてもよい。また、ステップＳ９において、作業員に対して被測定光源体を交換することを促すブザー、音声案内、ランプ、画像表示等の告知を行うこととしてもよい。
【００６１】
上述した実施例における種々の数値、寸法、材料、ルーチン等は、例示に過ぎず、用途等に応じて、適宜選択することができる。                    
【符号の説明】
【００６２】
１０、３０、４０    測光装置
１１          積分球
１３          光検出器
１５、４３    標準光源体保持部
１５ａ、４３ａ    標準光源体
１７、４５    被測定光源体保持部
１７ａ、４５ａ  被測定光源体
１９ａ、１９ｂ、３１ａ、３１ｂ、４９    遮光板
２１          制御部
２３          マニュアル入力手段
２５、５７    蓋体
３３、５５    ヒンジ駆動部
３５          駆動部
４１          移動台
４７          駆動部
５１          積分球点等位置
５３          取り外し可能カバー
ａｘ          紙面に平行な回転軸
ｘ            中心線
【図１】
2013186913.tif 000003
【図２】
2013186913.tif 000004
【図３】
2013186913.tif 000005
【図４】
2013186913.tif 000006
【図５】
2013186913.tif 000007
【図６】
2013186913.tif 000008
【図７】
2013186913.tif 000009
【図８】
2013186913.tif 000010
【図９】
2013186913.tif 000011
【国際調査報告】
2013186913.tif 000012
2013186913.tif 000013
2013186913.tif 000014
2013186913.tif 000015